(57)【特許請求の範囲】
【請求項１】
マンホールの流出側削孔口と流出側本管とをマンホールに接続するための止水可とう継手であって、管継手を内蔵しており、前記管継手が、流出側本管の挿入端部と接続される接続部と導通部とを有しており、前記接続部の下部の内面に、マンホールの内側に向かって縮径しているテーパー部及び前記テーパー部の端部で前記管継手の内側に向かって突出している突起部が設けられており、前記止水可とう継手の流出側削孔口への挿入及び接続の際、前記突起部によって、前記流出側本管の挿入端部が位置決めされ、マンホール構造を縦断面で見て、前記突起部の頂面が前記導通部の頂面を形成しており、前記導通部の下部の頂面が、前記流出側本管の挿入端部の下部の内面と同じ高さか又は前記流出側本管の挿入端部の下部の内面より高いことを特徴とする管継手内蔵止水可とう継手。
【請求項２】
マンホールの流入側削孔口と流入側本管とをマンホールに接続するための止水可とう継手であって、請求項１記載の管継手を、マンホール構造を縦断面で見たときに上下逆方向で内蔵しており、前記管継手が、流入側本管の挿入端部と接続される接続部と導通部とを有しており、マンホール構造を縦断面で見たとき、前記流入側導通部の下部の内面が、流入側本管の挿入端部の下部の内面と同じ高さか又は流入側本管の挿入端部の下部の内面より低いことを特徴とする管継手内蔵止水可とう継手。
【請求項３】
マンホールの流入側削孔口と流入側本管とが止水可とう継手で接続され、前記マンホールの流出側削孔口と流出側本管とが止水可とう継手で接続されているマンホールの接続構造において、前記流出側削孔口と前記流出側本管とが請求項１記載の管継手内蔵止水可とう継手によって接続されており、前記流入側削孔口と前記流入側本管とが請求項２記載の管継手内蔵止水可とう継手によって接続されていることを特徴とするマンホールの接続構造。
【請求項４】
前記管継手の接続部の内側面に、前記マンホールの内側に向かって縮径しているサイドテーパー部が設けられていることを特徴とする請求項３記載のマンホールの接続構造。
【発明の詳細な説明】
【０００１】
【発明の属する技術分野】
本発明は、マンホールの削孔口と本管とが止水可とう継手で接続されている、マンホールの接続構造に関し、特に、本発明は、かかる止水可とう継手に内蔵され、本管の挿入端部を受ける管継手に関するものである。
【０００２】
マンホールは、下水道の面整備に用いられ、下水管きょの方向や勾配が変わるところとか、管径が変わるところに使用されることがある。
【０００３】
かかるマンホールと本管の接続部には、コンクリートを打設し、巻立てする工法が行なわれていたが、地盤沈下や地震等の地盤の歪で、本管とマンホールの相対的位置が変位すると、コンクリート巻立て部がひび割れたりマンホールよりの抜出しが発生し、不明水の浸入や下水が漏水する欠点があった。
【０００４】
また、最近では、マンホールと本管の相対的位置が変位しても変位を吸収し止水性も維持できるように、ゴム製の可とう継手が多く用いられてきた。
【０００５】
図１７〜１９は、かかる従来の可とう継手を用いるマンホール構造の施工工程を示す横断面図である。まず、図１７に示すように、マンホール１０１には、可とう継手１０２が取付けられた下水本管１０３を、削孔口１０１ａにマンホール外面１０１ｂの側から挿入する。
【０００６】
次に、可とう継手１０２と下水本管１０３を位置決めした後、図１７及び図１８に示すように、下水本管１０３の挿入端部１０３ａを、マンホール内面１０１ｃの側からマンホール１０１の内径に合わせてカットして、カット面１０３ｂとする。
【０００７】
さらに、削孔口１０１ａと下水本管１０３との間に、ポリエチレン発泡体等のバックアップ材１０４を詰め込む。
【０００８】
なお、図１８及び１９に示すように、マンホール１０１の下部に、下水本管１０３が流入側の管か又は流出側の管かの違いによって、管の下部にすり合わせた半円状の溝１０５を設ける。この溝１０５を一般にインバートという。
【０００９】
インバート仕上げ時に、前述のバックアップ材１０４を詰め込んだ部分の下水本管１０３と削孔口１０１ａとの隙間に、モルタル１０６等を充填し、下水本管１０３の布設を行なう。
【００１０】
【発明が解決しようとする課題】
図１７〜１９に示すような可とう継手を用いて、下水本管の敷設を行なう方法は、管の挿入端部をマンホール内部でマンホール内径に合わせてカットする必要があり、手間と熟練を要する。
【００１１】
本発明者によれば、マンホール内側で本管の挿入端部をカットしなくて済む方法として、可とう継手に内蔵した管継手の有効性が見出された（特願２０００−２２２８２９号明細書参照）。
【００１２】
図１６は、かかる可とう継手を用いたマンホール構造の縦断面図である。図１６に示すマンホール構造１１１では、可とう継手１１２は管継手１１３を内蔵する。管継手１１３は、本管１１４を受け入れ、本管１１４を接続するための受口１１３ａを有する。
【００１３】
しかし、本発明者の研究によれば、マンホール構造１１１では、図１２に示すように、本管１１４に取付角度θがつく（本管１１４′）と、流入側Ｄでは、下水の流れＥが受口１１３ａによって妨げられ、溜り部Ｆができ、流出側Ｇでは、本管１１４′の端部が、下水の流れＨを阻害する段差部Ｉを発生させ、実用上問題であることが分かった。
【００１４】
本発明の課題は、マンホールと本管との接続部に止水可とう継手によって可とう性を付与し、本管とマンホールとの間の相対的位置が変位しても水密性を維持させるのはもちろん、本管のマンホールへの取付け作業性に優れる所定の管継手によって、本管に取付角度がついても下水の流れが極めて円滑なマンホールの接続構造を得ることである。
【００１５】
【課題を解決するための手段】
本発明は、マンホールの流出側削孔口と流出側本管とをマンホールに接続するための止水可とう継手であって、管継手を内蔵しており、前記管継手が、流出側本管の挿入端部と接続される接続部と導通部とを有しており、前記接続部の下部の内面に、マンホールの内側に向かって縮径しているテーパー部及び前記テーパー部の端部で前記管継手の内側に向かって突出している突起部が設けられており、前記止水可とう継手の流出側削孔口への挿入及び接続の際、前記突起部によって、前記流出側本管の挿入端部が位置決めされ、マンホール構造を縦断面で見て、前記突起部の頂面が前記導通部の頂面を形成しており、前記導通部の下部の頂面が、前記流出側本管の挿入端部の下部の内面と同じ高さか又は前記流出側本管の挿入端部の下部の内面より高いことを特徴とする管継手内蔵止水可とう継手に係るものである。
【００１６】
また、本発明は、マンホールの流入側削孔口と流入側本管とをマンホールに接続するための止水可とう継手であって、請求項１記載の管継手を、マンホール構造を縦断面で見たときに上下逆方向で内蔵しており、前記管継手が、流入側本管の挿入端部と接続される接続部と導通部とを有しており、マンホール構造を縦断面で見たとき、前記流入側導通部の下部の内面が、流入側本管の挿入端部の下部の内面と同じ高さか又は流入側本管の挿入端部の下部の内面より低いことを特徴とする管継手内蔵止水可とう継手に係るものである。
【００１７】
本発明は、マンホールと本管との接続の際の作業性に優れる管継手によって、本管に取付角度がついても下水の流れが極めて円滑なマンホールの接続構造が得られるという知見に基づくものである。
【００１８】
本発明者は、マンホールと本管との接続において、接続の作業性を向上させるため、種々の可とう継手を検討した。
【００１９】
その結果、本発明者は、所定の管継手を用いることによって、マンホールと本管との接続の作業性が著しく向上すると共に、マンホール及び本管で運搬される下水等の運搬物の流れが極めて円滑になることを突き止め、本発明に至った。
【００２０】
マンホールと本管の接続においては、取付作業の容易性が極めて重要である。
【００２１】
前述した図１７〜１９に示すように、従来のマンホールに使用される可とう継手は、マンホールに取り付けられた可とう継手に本管を挿入し、本管挿入部をマンホール内径に合わせてカットした後に、水勾配にあわせてインバートを設け、下水等の流れが円滑になるように調整する。
【００２２】
かかる場合、本管の挿入はマンホール外の作業で、本管の挿入端部のカット作業はマンホール内の作業となり、いずれの作業も手間と熟練を要す。
【００２３】
また、マンホールと本管の接続においては、運搬物の流れが円滑に行われることが重要である。
【００２４】
一般的に、下水は下水道に勾配をつけ、自然流下によって終末処理場に集める方式を取っている。そこで、マンホールの流入側から流出側に向けては、下り勾配となるようにする必要があり、管を接続する場合は、接続部の下水の流れが勾配にそって流れるように考慮する必要がある。
【００２５】
インバートを施工する作業は、マンホール内側よりコンクリート又はモルタルで仕上げるのが一般的で、水勾配を正確に取る必要があり、熟練を要す。
【００２６】
このため、工場でインバートを予備成型して、工事現場では、本管を接続するだけの工法も考えられる。しかし、この場合、予備成型のインバートが邪魔になり、本管挿入端部をマンホール内面に合わせてカットすることができない。
【００２７】
また、前述した図１６に示すように、受口管継手に本管を接続するだけの工法も考えられるが、本管に取り付け角度が付いた場合、流入側ではＦのような下水の溜りができ、流出側ではＨのような下水の流れの阻害が発生する。
【００２８】
本発明にかかる管継手は、本管の挿入端部と接続される接続部と、導通部とを有している。かかる接続部及び導通部は、本発明にかかる管継手が流入側管継手の場合、流入側接続部及び流入側導通部となり、本発明にかかる管継手が流出側管継手の場合、流出側接続部及び流出側導通部となる。
【００２９】
本発明では、かかる流入側導通部は、マンホールの接続構造を縦断面で見たとき、導通部の下部の内面が、流入側本管の挿入端部の下部の内面と同じ高さか又は流入側本管の挿入端部の下部の内面より低くすることができる。
【００３０】
かかる流入側管継手は、その内部に流入側本管が挿入され、本管の運搬物の流路を確保することができる。この際、流入側本管から流入してくる下水等の運搬物は、流入側管継手によって遮られることなく、円滑にマンホール内部に流入する。
【００３１】
本発明では、かかる流出側接続部は、マンホールの接続構造を縦断面で見たとき、この接続部の下部の内面に、マンホールの内側に向かって縮径しているテーパー部及びこのテーパー部の端部で管継手の内側に向かって突出している突起部を設けることができる。
【００３２】
本発明では、かかる突起部によって、流出側本管の挿入端部が位置決めされており、かかる突起部の頂面は流出側導通部の頂面を形成している。かかる流出側導通部は、マンホールの接続構造を縦断面で見たとき、下部の頂面が、流出側本管の挿入端部の下部の内面と同じ高さか又は流出側本管の挿入端部の下部の内面より高くなっている。
【００３３】
かかる流出側管継手には、流出側本管が挿入され、マンホールから流出する運搬物の流路を確保することができる。この際、マンホールから流出してくる下水等の運搬物は、流出側本管によって遮られることなく、円滑にマンホールから流出する。
【００３４】
本発明のマンホールの接続構造によれば、所定の管継手を、マンホールの流入側及び流出側に合わせて取り付けることにより、本管に取り付け角度がついた場合でも、管継手と本管との間の変位による段差が防止されるので、本管及びマンホール内を運搬される運搬物の流れを極めて円滑にすることができる。
【００３５】
【発明の実施の形態】
本発明の実施の形態を説明する。
（１）マンホール
本発明にかかるマンホールは、本管が可とう継手によって接続されて、接続構造を形成するものである。
【００３６】
かかるマンホールは、特に制限されることなく、種々のものを用いることができる。本発明は、例えば、小型マンホール、通常の１号マンホール、及びそれ以外の大きさ又は形状のマンホールにも十分適用できる。
【００３７】
また、かかるマンホールは、特に制限されることなく、種々の口径や材質からなることができる。
【００３８】
本発明で用いるマンホールには削孔口を設ける。かかる削孔口は、運搬物の流入側では、流入側削孔口となり、流出側では流出側削孔口となる。
【００３９】
かかる削孔口は、後述する止水可とう継手及び管継手を挿入するのに適切な大きさを有し、止水可とう継手及び管継手によって十分な水密性を発揮できる形状を有する。概して、かかる削孔口は円形に掘削される。
【００４０】
（２）本管
本発明にかかる本管は、マンホールに接続される管である。かかる本管は、マンホールの流入側では流入側本管となり、マンホールの流出側では流出側本管となる。
【００４１】
かかる本管は、流入側本管及び流出側本管のいずれも、特に制限されることなく、種々の口径や材質からなることができる。
【００４２】
（３）止水可とう継手
本発明にかかる止水可とう継手は、マンホールと本管とを接続するもので、マンホールの接続構造に、止水性及び可とう性を与えるものである。
【００４３】
かかる止水可とう性継手は、マンホールの流入側では流入側止水可とう継手となり、マンホールの流出側では流出側止水可とう継手となる。
【００４４】
止水可とう継手は、流入側、流出側にかかわらず、種々の形状、材質のものでよい。かかる止水可とう継手は、代表的には、ゴムから形成されており、マンホールの削孔口に接続される接続部と、本管の外周を被覆する被覆部と、接続部及び被覆部を連結する連結部とを有する。
【００４５】
接続部は、拡張バンド等の圧着具を用いることによって、マンホールの削孔口に圧着させることができる。また、被覆部は、締結バンド等の締め付け具を用いることによって、本管の外周に圧着させることができる。なお、連結部には、止水可とう継手の可とう性を向上させるのに有利な蛇腹部を設けることができる。
【００４６】
（４）管継手
本発明にかかる管継手は、止水可とう継手に内蔵されるものである。かかる管継手は、マンホールの流入側では流入側管継手となり、マンホールの流出側では流出側管継手となる。
【００４７】
かかる管継手は、流入側及び流出側ともに、本管との接続部と運搬物の導通部とを有する。かかる管継手には、本管の挿入端部が挿入され、かかる管継手の接続部で、本管の挿入端部と接続される。
【００４８】
かかる管継手は、本管との接続部以外の部分が、本管内及びマンホール内の運搬物の流路を形成する導通部となる。
【００４９】
本発明の第１発明では、流入側管継手の導通部は、マンホールの接続構造を縦断面で見たとき、導通部の下部の内面が、流入側本管の挿入端部の下部の内面と同じ高さか、又は流入側本管の挿入端部の下部の内面より低い。
【００５０】
かかる流入側管継手は、マンホールの接続構造の流入側の下部において、運搬物の円滑な流れを確保する。
【００５１】
あるいはまた、本発明では、流出側管継手の接続部は、マンホールの接続構造を縦断面で見たとき、下部の内面に、マンホールの内側に向かって縮径しているテーパー部及びこのテーパー部の端部で流出側管継手の内側に向かって突出している突起部を設けることができる。
【００５２】
かかる突起部は、本管の挿入端部を位置決めする役割を有する。かかる突起部によって、本管を挿入し過ぎることがなく、本管の挿入端部の位置決めも容易にできる。
【００５３】
また、かかる突起部は、その頂面が流出側導通部の頂面を形成する。かかる流出側導通部は、マンホールの接続構造を縦断面で見たとき、下部の頂面が、流出側本管の挿入端部の下部の内面と同じ高さか、又は流出側本管の挿入端部の下部の内面より高い。
【００５４】
かかる流出側管継手は、マンホールの接続構造の流出側の下部において、運搬物の円滑な流れを確保する。
【００５５】
本発明では、マンホールの接続構造において、マンホールの流入側削孔口と流入側本管とを、上述の流入側止水可とう継手と流入側管継手とで接続し、マンホールの流出側削孔口と流出側本管とを、上述の流出側止水可とう継手と流出側管継手とで接続することができる。
【００５６】
かかるマンホールの接続構造は、流入側の下部及び流出側の下部のいずれにおいても、運搬物の円滑な流れを確保できる。
【００５７】
また、本発明では、流入側接続部及び流出側接続部の少なくとも一方の内側面に、マンホールの内側に向かって縮径しているサイドテーパー部を設けることができる。
【００５８】
かかる管継手は、本管の水平方向の変位を許容することができる。また、かかる管継手は、本管の水平方向の角度調整が可能になり、マンホールと本管との接続の作業性が向上する。
【００５９】
本発明のマンホールの接続構造では、流入側本管と流出側本管とを同じものとする場合、一種類の管継手を流入側管継手及び流出側管継手として用いることができる。
【００６０】
かかる場合、管継手には、導通部の下部の内面が、マンホールの接続構造を縦断面で見たとき、本管の挿入端部の下部の内面と同じ高さか、又は本管の挿入端部の下部の内面より低く、接続部の上部の内面に、マンホールの接続構造を縦断面で見たとき、マンホールの内側に向かって縮径しているテーパー部及びこのテーパー部の端部で流入側管継手の内側に向かって突出している突起部を設けた管継手を、流入側管継手として用い、流出側管継手として、流入側管継手の上下を逆にした管継手を用いることができる。
【００６１】
本発明にかかる管継手は、上述した各種機能に応じて、特に制限されることなく、種々の形状、材質等で形成することができる。かかる管継手の材質には、例えば、硬質塩化ビニル樹脂、ＡＢＳ樹脂、ＰＥＴ樹脂、ナイロン等のプラスチック、又は防錆処理鋼、ステンレス鋼、等の腐食し難い金属類、等が挙げられる。
【００６２】
図面を参照して、本発明を更に詳細に説明する。
図１は、本発明にかかる一例の管継手の取付状態を示す縦断面図である。図２は、本発明にかかる他の例の管継手の取付状態を示す縦断面図である。図３は、本発明の一例の接続構造を示す縦断面図である。図４は、本発明の他の例の接続構造を示す縦断面図である。図５は、本発明の更に他の例の接続構造を示す横断面図である。図６は、本発明の更に他の例の接続構造を示す横断面図である。
【００６３】
図７は、本発明にかかる一例の管継手の正面図である。図８は、図７の管継手のＡ−Ａ線断面図である。図９は、図７の管継手のＢ−Ｂ線断面図である。図１０は、図７の管継手のＣ−Ｃ線断面図である。
【００６４】
図１１は、本発明にかかる一例の流入側管継手の取付状態における斜視図である。図１２は、本発明にかかる一例の流出側管継手の取付状態における斜視図である。図１３は、本発明にかかる一例の止水可とう継手の正面図である。図１４は図１３の止水可とう継手の部分縦断面図である。図１５は本発明の更に他の例の接続構造を示す縦断面図である。
【００６５】
図１には、マンホールの流入側の管継手を示す。図１に示すように、本発明では、マンホール１の削孔部１ａに、止水可とう継手２が取り付けられる。
【００６６】
止水可とう継手２は、管継手３を内蔵している。管継手３は、平行部３ａを下方側に向けて、テーパー部３ｂを上方側に向けて取り付けられている。
【００６７】
また、管継手３は、テーパー部３ｂの端部で管継手の内側に向かって突出している突起部３ｃが設けられている。突起部３ｃは、挿入される本管の厚み以上の高さを有している。また、突起部３ｃは、運搬物の流路となる導通部を形成しており、管継手３の下部では、平行部３ａの一部となる。
【００６８】
かかる管継手３は、流入側管継手であり、マンホール１の削孔部１ａに固定バンド４で取り付けられている。
【００６９】
図２は、図１と同様な縦断面図であるが、流出側の管継手の取り付け状態を示すものである。管継手１３は、テーパー部１３ｂを下方側に向けて、平行部１３ａを上方側に向けて取り付けられている。マンホール１、削孔部１ａ、止水可とう継手１２、突起部１３ｃ及び固定バンド１４は、図１のものと同様のものである。
【００７０】
図３には、図１の流入側管継手３に流入側本管５の挿入端部５ａを接続した状態の接続構造１１を示す。また、図３では、マンホール１の内部にインバート６を設けた状態を示す。なお、図３の管継手３では、テーパー部３ｂの傾斜角度によって、流入側本管は角度θだけ挿入角が許容される。
【００７１】
図３に示す接続構造１１では、下水等は本管側よりマンホール内側に向けて流れるが、流入側管継手３の平行部３ａが下方側に取り付けられているため、下水等の流れを阻害するものがなく、下水等は円滑に流れる。なお、流入側本管５は締結バンド７を用いて固定されており、本管５が本管５′のように角度θで傾いたとしても、水密性及び流下性に実質的な影響がない。
【００７２】
図４は、図２の流出側管継手１３に流出側本管１８の挿入端部１８ａを接続した状態の接続構造２１を示す。また、図４では、マンホール１の内部にインバート１６が設けられている。
【００７３】
図４に示す接続構造２１では、下水等はマンホール内側より本管に向けて流れるが、突起部１３ｃは流出側本管１８の管厚み以上に形成されており、また、流出側本管１８の上部は平行部１３ａに当接するため、流出側本管１８に流出側本管１８′のように取り付け角度θ′が付いても、流出側本管下部の管底が突起部１３ｃより高くなることがなく、下水等の流れが阻害されることがない。なお、接続構造２１でも、接続構造１１と同様に、締結バンド１７で止水可とう継手１２を流出側本管１８に固定することができる。
【００７４】
図５は、図３のような流入側の接続構造を横断面で見た図である。この接続構造３１では、管継手２３の側部に、サイドテーパー部２３ｄが設けられている。マンホール１、止水可とう継手２２、流入側管継手２３、流入側本管２５、インバート２６等は、図１及び３のものと同様のものである。
【００７５】
サイドテーパー部２３ｄは、テーパー部の傾斜によって、流入側本管２５の取付け角度の変位を、流入側本管２５′のように、角度δだけ許容する。
【００７６】
図６は、図４のような流出側の接続構造を横断面で見た図である。この接続構造４１では、図５の場合と同様に、流出側本管３８の変位は、流出側管継手３３のサイドテーパー部３３ｄによって、流出側本管３８′で示されるように、角度δ′まで許容される。マンホール１、止水可とう継手３２、流出側管継手３３、インバート３６等は、図２及び４のものと同様のものである。
【００７７】
図７〜１０に示すように、本発明にかかる好ましい管継手４３は、一方側に平行部４３ａを有し、他方側にテーパー部４３ｂと突起部４３ｃとを有し、また、それらの中間部付近に、マンホールの内側に向かって縮径するサイドテーパー部４３ｄを設ける。
【００７８】
管継手４３では、平行部４３ａ、テーパー部４３ｂ及び突起部４３ｃは、本管が接続される接続部となるが、その他の部分は、本管やマンホール内を流れる運搬物の流れを妨げない導通部４３ｅとなる。
【００７９】
かかる管継手４３は、図１１及び図１２に示すように、上下方向を逆にして用いれば、図１１に示す流入側管継手として使用することも、図１２に示す流出側管継手として使用することもできる。
【００８０】
図１３及び図１４は、本発明に用いられる一例の止水可とう継手２の正面図及び部分断面図を示す。止水可とう継手２には、蛇腹部２ａが設けられており、本管に地震等で抜出しが発生しても、蛇腹部２ａが変位に追従し、止水可とう継手２が破損することなく、水密性が維持できるものである。
【００８１】
図１５は、本発明の好ましい接続構造５１を示すものである。接続構造５１では、管継手４３を、マンホール１の流入側管継手４９及び流出側管継手５０に使用する。
【００８２】
接続構造５１では、下水等の運搬物は、流入側本管４５よりマンホール１内に入り、インバート４６を通った後、流出側本管４８へと円滑に流れる。
【００８３】
また、接続構造５１では、流入側本管４５が角度θだけ変位した場合（流入側本管４５′）や、流出側本管４８が角度θ′だけ変位した場合（流出側本管４８′）でも、本管や管継手が流路を妨げることなく、運搬物の円滑に流れを保証する。
【００８４】
【発明の効果】
本発明のマンホールの接続構造によれば、所定の管継手を、マンホールの流入側及び流出側に合わせて取り付けることにより、本管に取り付け角度がついた場合でも、管継手と本管との間の変位による段差が防止されるので、本管及びマンホール内を運搬される運搬物の流れを極めて円滑にすることができる。
【図面の簡単な説明】
【図１】  本発明にかかる一例の管継手の取付状態を示す縦断面図である。
【図２】  本発明にかかる他の例の管継手の取付状態を示す縦断面図である。
【図３】  本発明の一例の接続構造を示す縦断面図である。
【図４】  本発明の他の例の接続構造を示す縦断面図である。
【図５】  本発明の更に他の例の接続構造を示す横断面図である。
【図６】  本発明の更に他の例の接続構造を示す横断面図である。
【図７】  本発明にかかる一例の管継手の正面図である。
【図８】  図７の管継手のＡ−Ａ線断面図である。
【図９】  図７の管継手のＢ−Ｂ線断面図である。
【図１０】  図７の管継手のＣ−Ｃ線断面図である。
【図１１】  本発明にかかる一例の流入側管継手の取付状態における斜視図である。
【図１２】  本発明にかかる一例の流出側管継手の取付状態における斜視図である。
【図１３】  本発明にかかる一例の止水可とう継手の正面図である。
【図１４】  図１３の止水可とう継手の部分縦断面図である。
【図１５】  本発明の更に他の例の接続構造を示す縦断面図である。
【図１６】  可とう継手を用いたマンホール構造の縦断面図である。
【図１７】  従来の可とう継手を用いるマンホール構造の横断面図である。
【図１８】  従来の可とう継手を用いるマンホール構造の横断面図である。
【図１９】  従来の可とう継手を用いるマンホール構造の横断面図である。
【符号の説明】
１  マンホール
１ａ  削孔部
２，１２，２２，３２  止水可とう継手
２ａ  蛇腹部
３，１３，２３，３３，４３  管継手
３ａ，１３ａ，４３ａ  平行部
３ｂ，１３ｂ，４３ｂ  テーパー部
３ｃ，１３ｃ，４３ｃ  突起部
４，１４  固定バンド
５，５′，２５，２５′，４５，４５′  流入側本管
５ａ  挿入端部
６，１６，２６，３６  インバート
７，１７  締結バンド
１１，２１，３１，４１，５１  接続構造
１８，１８′，３８，３８′，４８，４８′  流出側本管
１８ａ  挿入端部
２３ｄ，３３ｄ，４３ｄ  サイドテーパー部
４３ｅ  導通部
４９  流入側管継手
５０  流出側管継手
【図１】
0003808750.tif 000002
【図２】
0003808750.tif 000003
【図３】
0003808750.tif 000004
【図４】
0003808750.tif 000005
【図５】
0003808750.tif 000006
【図６】
0003808750.tif 000007
【図７】
0003808750.tif 000008
【図８】
0003808750.tif 000009
【図９】
0003808750.tif 000010
【図１０】
0003808750.tif 000011
【図１１】
0003808750.tif 000012
【図１２】
0003808750.tif 000013
【図１３】
0003808750.tif 000014
【図１４】
0003808750.tif 000015
【図１５】
0003808750.tif 000016
【図１６】
0003808750.tif 000017
【図１７】
0003808750.tif 000018
【図１８】
0003808750.tif 000019
【図１９】
0003808750.tif 000020